(57)【要約】【課題】ラッチの没入動作を不能にする恐れなく常に安定確実な没入動作を保証できるラッチ装置を提供する。【解決手段】ラッチ９の両端面板１６，１７の各後端に、該ラッチ９の突出状態でフロント８のラッチ出没孔１１より後方へ突出する長さにまで延びる延長端面板１６ａ，１７ａを設けるとともに、該延長端面板１６ａ，１７ａに、ねじりコイルばね２０の腕２０ｂ，２０ｃとの干渉を避けるための切欠２２，２３を設ける。これによりラッチ９は延長端面板１６ａ，１７ａの案内作用の下でラッチ出没孔１１を安定確実に出没することができる。したがって、ラッチ９が没入時に一方の端面板１６側又は他方の端面板１７側に偏って強く押されるようなことがあっても、ラッチ９は延長端面板１６ａ，１９ａの案内作用の下でラッチ出没孔１１に確実に没入するため、従来のような、一方の端面板の後端縁又は他方の端面板の後端縁がフロントの前面上につかえるような問題を解消することができる。【選択図】図５
2007303226.tif 000002
【特許請求の範囲】
【請求項１】
ラッチ出没孔を有するフロントと、断面三角形状のラッチとを備えており、前記ラッチは、先端同士が鋭角で出会う二つの斜面板と、この二つの斜面板の両端にそれぞれ連設した三角形状の端面板と、各斜面板の後端に突設した抜止め兼用軸部と、前記二つの斜面板の後端同士間に該斜面板と直交状に架設されたばね支軸と、このばね支軸に円筒形部を挿通したねじりコイルばねとを有しており、前記ラッチは前記ラッチ出没孔に出没可能に且つ前記ラッチ出没孔の孔縁部の後方側に当接係合する前記抜止め兼用軸部を介して抜止め状に嵌合装着され、前記ねじりコイルばねの円筒形部の両端から前記ラッチの両端面板の各後方に向けて延出する腕の各端部は前記フロントの後方へ相対向状に突設した一対のばね受に係合されて前記ラッチが前記ねじりコイルばねで突出付勢されているラッチ装置において、
前記ラッチの両端面板の各後端に、該ラッチの突出状態で前記フロントのラッチ出没孔より後方へ突出する長さにまで延びる延長端面板を設けるとともに、該延長端面板に、前記ねじりコイルばねの腕との干渉を避けるための切欠を設けていることを特徴とする、ラッチ装置。
【請求項２】
請求項１記載のラッチ装置を、格納箱本体の正面開口部に開閉可能に取り付けた扉に備えていることを特徴とする、消火器格納箱。
【発明の詳細な説明】
【技術分野】
【０００１】
本発明は、ラッチ装置、これを備えた消火器格納箱に関する。
【背景技術】
【０００２】
従来、消火器格納箱の扉用ラッチ装置として、たとえば、図８〜図１３に示すようなものが知られている。図８はラッチ装置の平面図、図９は同ラッチ装置の正面図、図１０は同ラッチ装置の側面図、図１１は同ラッチ装置の背面図、図１２は図９におけるＢ―Ｂ線断面図、図１３は同ラッチ装置のラッチの斜面図である。各図において、このラッチ装置は、扉２９に取り付けられ、ラッチ出没孔３０を有するフロント３１と、板金製の断面三角形のラッチ３２とを備えたものが知られている。そのラッチ３２は先端同士が鋭角で出会う二つの斜面板３３，３４と、斜面板３３，３４の上端同士及び下端同士にそれぞれ連設した三角形状の端面板３５，３６と、各斜面板３３，３４の後端の上下に突設した抜止め兼用軸部３７，３８とを備え、斜面板３３，３４の後端同士間にはばね支軸３９を斜面板３３，３４と直交状に架設し、このばね支軸３９にねじりコイルばね４０の円筒形部４０ａを挿通している。かくして、ラッチ３２はフロント３１のラッチ出没孔３０に出没可能に且つラッチ出没孔３０の孔縁部の後方側に当接係合する抜止め兼用軸部３７，３８を介して抜止め状に嵌合装着され、ねじりコイルばね４０の円筒形部４０ａの両端からラッチ３２の両端面板３５，３６の各後方に向けて延出する腕４０ｂ，４０ｃの各端部はフロント３１の後方へ相対向状に突設した一対のばね受４１，４２に係合される。
【０００３】
しかるときは、ラッチ３２は、ねじりコイルばね４０で常に突出方向に付勢されて、図８、図１２に示すように、扉２９の嵌め込まれる消火器格納箱本体の正面開口枠４３側に取り付けた受け座４４の凹部４５に係合し、これによって扉２９は正面開口枠４３に対して閉じ状態に保持される。いま、扉２９を図８に示す矢印Ｃ方向に引いて開けるときは、ラッチ３２の一方の斜面板３３が受け座４４側に当接し、扉２９の引込み力の分力でラッチ３２がねじりコイルばね４０のばね力に抗して一方の斜面板３３の抜止め兼用軸部３７，３７を回動中心軸にして回動することによりラッチ出没孔３０に没入し、これによって扉の開きを可能にする。扉２９を図８に示す矢印Ｄ方向に押して閉めるときはラッチ３２の他方の斜面板３４が受け座４４側に当接し、扉の押込み力の分力でラッチ３２が、一旦、他方の斜面板３４の抜止め兼用軸部３８，３９を回動中心軸にして前記回動方向とは反対方向に回動することによりラッチ出没孔３０に没入し、受け座４４の凹部４５に合致すると同時にラッチ出没孔３０から突出して該凹部４５に係合する。
【発明の開示】
【発明が解決しようとする課題】
【０００４】
上記ラッチ装置のラッチ３２は、二つの斜面板３３，３４の傾斜角度を保持して補強する為に二つの斜面板３３，３４の両端に三角形状の端面板３５，３６をそれぞれ一体に連設してあるが、その両端面板３５，３６の各後端縁３５ａ，３６ａは、ラッチ３２がラッチ出没孔３０に没入したときにねじりコイルばね４０の腕４０ｂ，４０ｃと干渉するのを避けるために、図１２に示すように前面３１ａより少し浮上するか、またはフロント３１の前面３１ａと面一になる程度の長さに止める形に形成されている。
しかし、こうした両端面板３５，３６の長さ構成では、ラッチ３２の斜面板３３，３４が一方の端面板３５から他方の端面板３６の全長にわたって均一な力で押圧されるときは、ラッチ３２はラッチ出没孔３０に何ら問題なく没入動作するが、一方の端面板３５側又は他方の端面板３６側に偏って強く押されることがあり、こうした場合には、図１４に示すように強く押されない側の一方の端面板３５の後端縁３５ａ、又は他方の端面板３６の後端縁３６ａがフロント３１の前面３１ａ上に寄せ付けられて該前面３１ａ上につかえてしまって没入動作を不能にするため、扉２９を開けることができなくなるという不具合が生じていた。とくに、消火器格納箱の扉２９のような場合は、緊急に開ける必要があるときに間に合わないといった問題が発生することになる。
【０００５】
本発明は、このような問題を解決するためになされたものであり、その目的とするところは、上記のような、断面三角形のラッチを備え、ねじりコイルばねでラッチを突出方向に付勢するようにしてあるラッチ装置において、上記ラッチの両端面板の構造に工夫を凝らすことにより上記のようにラッチの没入動作を不能にする恐れなく常に安定確実な没入動作を保証できるラッチ装置を提供することにある。
また、本発明は、上記のようにラッチの没入動作を不能にする事態を発生することなく常に開扉を可能にする消火器格納箱を提供することを目的とする。
【課題を解決するための手段】
【０００６】
本発明のラッチ装置は、請求項１に記載のように、発明の内容を理解しやすくするために図１〜図５に付した符号を参照して説明すると、ラッチ出没孔１１を有するフロント８と、断面三角形状のラッチ９とを備えており、ラッチ９は、先端同士が鋭角で出会う二つの斜面板１４，１５と、この二つの斜面板１４，１５の両端にそれぞれ連設した三角形状の端面板１６，１７と、各斜面板１４，１５の後端に突設した抜止め兼用軸部１８，１９と、斜面板１４，１５の後端同士間に斜面板１４，１５と直交状に架設されたばね支軸２１と、このばね支軸２１に円筒形部２０ａを挿通したねじりコイルばね２０とを有しており、ラッチ９はラッチ出没孔１１に出没可能に且つラッチ出没孔１１の孔縁部の後方側に当接係合する抜止め兼用軸部１８，１９を介して抜止め状に嵌合装着され、ねじりコイルばね２０の円筒形部２０ａの両端からラッチ９の両端面板１６，１７の各後方に向けて延出する腕２０ｂ、２０ｃの各端部はフロント８の後方へ相対向状に突設した一対のばね受１２，１３に係合されてラッチ９がねじりコイルばね２０で突出付勢されているラッチ装置において、前記ラッチ９の両端面板１６，１７の各後端に、該ラッチ９の突出状態でフロント８のラッチ出没孔１１より後方へ突出する長さにまで延びる延長端面板１６ａ，１７ａを設けるとともに、該延長端面板１６ａ，１７ａに、ねじりコイルばね２０の腕２０ｂ，２０ｃとの干渉を避けるための切欠２２，２３を設けていることに特徴を有するものである。
【０００７】
本発明の消火器格納箱は、請求項２に記載のように、請求項１記載のラッチ装置１を、格納箱本体３の正面開口枠４に開閉可能に取り付けた扉６に備えていることに特徴を有するものである。
【発明の効果】
【０００８】
本発明のラッチ装置によれば、ラッチの両端面板の各後端に、該ラッチの突出状態でフロントのラッチ出没孔より後方へ突出する長さにまで延びる延長端面板を設けているので、ラッチは延長端面板の案内作用の下でラッチ出没孔に対し安定確実に出没させることができる。したがって、たとえ、ラッチが没入時に一方の端面板側又は他方の端面板側に偏って強く押されるような事態があっても、ラッチは延長端面板の案内作用の下でラッチ出没孔に円滑かつ確実に没入するため、図１４に示す従来のような、一方の端面板の後端縁又は他方の端面板の後端縁がフロントの前面上につかえるような問題を解消することができる。また、延長端面板には切欠を設けているので、ラッチの没入時に延長端面板がねじりコイルばねの腕と干渉するのを避けることができる。
【０００９】
本発明の消火器格納箱によれば、開扉に伴い上記のようにラッチを延長端面板の案内作用の下でラッチ出没孔に円滑かつ確実に没入させることができるため、不測な開扉不能を防止でき、緊急時によく対応できて有利である。
【発明を実施するための最良の形態】
【００１０】
本発明の好適な実施形態を図面に基づき説明する。図１は本発明の一実施例を示すラッチ装置の平面図、図２は同ラッチ装置の正面図、図３は同ラッチ装置の側面図、図４は同ラッチ装置の背面図、図５は図２におけるＡ―Ａ線断面図、図６は同ラッチ装置のラッチの斜面図、図７は同ラッチ装置を取り付けた消火器格納箱の正面図である。
【００１１】
本発明に係るラッチ装置１は、例えば、図７に示すように、消火器格納箱２の格納箱本体３の正面開口枠４に蝶番５で開閉可能に取り付けられた扉６に備え付ける。図１〜図６において、ラッチ装置１は、図８〜図１３に示す従来のラッチ装置の場合と同様に、扉６の、取手７の取り付けられる側に取り付けられるフロント８と、板金製の断面三角形状のラッチ９とを備える。図７のように正面開口枠４側にはラッチ９に対応すべく受け座１０を取り付けている。
【００１２】
図５に示すように、フロント８は四角形のラッチ出没孔１１を開口し、ラッチ出没孔１１の上下に対向する一対の開口縁部からばね受１２，１３を後方へ相対向状に突設している。
【００１３】
図６に示すように、ラッチ９は、先端同士が鋭角で出会う二つの斜面板１４，１５と、この斜面板１４，１５の上端同士及び下端同士にそれぞれ連設した三角形状の端面板１６，１７と、各斜面板１４，１５の後端の上下に突設した抜止め兼用軸部１８，１９とを有する断面三角形状に形成している。図４、図５に示すように、斜面板１４，１５の後端同士間には、ねじりコイルばね２０の円筒形部２０ａを挿通したばね支軸２１の両端が斜面板１４，１５の各後端の中央に設けた切欠１４ａ，１５ａに係合固定されることによって、ばね支軸２１が斜面板１４，１５と直交するように架設される。
【００１４】
かくして、図４、図５に示すように、ラッチ９は、フロント８のラッチ出没孔１１に出没可能に嵌合装着されるとともに、ねじりコイルばね２０の円筒形部２０ａの両端からラッチ９の両端面板１６，１７の各後方に向けて延出する腕２０ｂ，２０ｃの各端部がばね受１２，１３の各孔１２ａ，１３ａに挿通係合される。これによってラッチ９はねじりコイルばね２０の軸線回りに働くねじりモーメントを受けて常に突出方向に付勢される。この突出方向に付勢されるラッチ９は抜止め兼用軸部１８，１９がラッチ出没孔１１の上下の各孔縁部の後方側に当接係合することによりラッチ出没孔１１に対し抜止め状態に嵌合装着される。
【００１５】
上記のように構成されたラッチ装置１において、本発明は、図５、図６に示すように、ラッチ９の両端面板１６，１７の各後端に、該ラッチ９の突出状態でフロント８のラッチ出没孔１１より後方へ突出する長さにまで延びる延長端面板１６ａ，１７ａを一体に設けるとともに、該延長端面板１６ａ，１７ａの各中央付近に、ねじりコイルばね２０の腕２０ｂ，２０ｃとの干渉を避けるための切欠２２，２３を設けることに特徴を有するものである。
【００１６】
次に、上記構成のラッチ装置１の作動について図１、図５を参照して説明する。
【００１７】
図１、図５に示すように、ラッチ９は突出状態で格納箱本体３の正面開口枠４側の受け座１０の凹部１０ａに係合し、これによって扉６は正面開口枠４に対して閉じ状態に保持されている。
この閉扉状態において、取手７を持って扉６を図１に示す矢印Ｃ方向に引いて開けるときは、ラッチ９の一方の斜面板１４が受け座１０側に当接し、扉６の引込み力の分力でラッチ９が一方の斜面板１４の抜止め兼用軸部１８，１８を回動中心軸にして回動することによりラッチ出没孔１１に没入し、扉６を開けることができる。
扉６を開き状態より図１に示す矢印Ｄ方向に押込んで閉めるときは、ラッチ９の他方の斜面板１５が受け座１０側に当接し、扉６の押込み力の分力でラッチ９が、一旦、他方の斜面板１５の抜止め兼用軸部１９，１９を回動中心軸にして前記回動方向と反対方向に回動することによりラッチ出没孔１１に没入し、受け座１０の凹部１０ａに合致すると同時にラッチ出没孔１１から突出して凹部１０ａに係合し閉扉状態を保持する。
【００１８】
このようなラッチ９のラッチ出没孔１１への出没に際し、ラッチ９の両端面板１６，１７の各後端に、該ラッチ９の突出状態でフロント８のラッチ出没孔１１より後方へ突出する長さにまで延びる延長端面板１６ａ，１７ａを設けているので、ラッチ９は延長端面板１６ａ，１７ａの案内作用の下でラッチ出没孔１１に対し安定確実に出没することができる。したがって、たとえ、ラッチ９が没入動作時に一方の端面板１６側又は他方の端面板１７側に偏って強く押されるような事態が生じても、図１４に示す従来のように一方の端面板３５の後端縁３５ａ又は他方の端面板３６の後端縁３６ａがフロント３１の前面３１ａ上につかえるような問題は発生することなく、ラッチ９は延長端面板１６ａ，１７ａの案内作用の下でラッチ出没孔１１に円滑かつ確実に没入し、扉６を開けることができる。また、延長端面板１６ａ，１７ａには切欠２２，２３を設けているので、ラッチ９の没入時に延長端面板１６ａ，１７ａがねじりコイルばね２０の腕２０ｂ，２０ｃと干渉するのを避けることができる。
【００１９】
なお、上記ラッチ装置１は消火器格納箱２の扉６に備え付けて使用することがきわめて有用であるが、その他の各種の扉、あるいは開閉機器の開閉部材などに備えて使用することもできる。
【図面の簡単な説明】
【００２０】
【図１】本発明の一実施例を示すラッチ装置の平面図である。
【図２】同ラッチ装置の正面図である。
【図３】同ラッチ装置の側面図である。
【図４】同ラッチ装置の背面図である。
【図５】図２におけるＡ―Ａ線断面図である。
【図６】同ラッチ装置のラッチの斜面図である。
【図７】同ラッチ装置を取り付けた消火器格納箱の正面図である。
【図８】従来例のラッチ装置の平面図である。
【図９】図８のラッチ装置の正面図である。
【図１０】図８のラッチ装置の側面図である。
【図１１】図８のラッチ装置の背面図である。
【図１２】図９におけるB―B線断面図である。
【図１３】図８のラッチ装置のラッチの斜面図である。
【図１４】従来例のラッチ装置の不具合な状態を示す断面図である。
【符号の説明】
【００２１】
１  ラッチ装置
２  消火器格納箱
３  格納箱本体
４  正面開口枠
６  扉
７  取手
８  フロント
９  ラッチ
１０  受け座
１１  ラッチ出没孔
１２，１３  ばね受
１４，１５  斜面板
１６，１７  端面板
１６ａ，１７ａ  延長端面板
１８，１９  抜止め兼用軸部
２０  ねじりコイルばね
２０ａ  円筒形部
２０ｂ，２０ｃ  腕
２１  ばね支軸
２２，２３  切欠
【図１】
2007303226.tif 000003
【図２】
2007303226.tif 000004
【図３】
2007303226.tif 000005
【図４】
2007303226.tif 000006
【図５】
2007303226.tif 000007
【図６】
2007303226.tif 000008
【図７】
2007303226.tif 000009
【図８】
2007303226.tif 000010
【図９】
2007303226.tif 000011
【図１０】
2007303226.tif 000012
【図１１】
2007303226.tif 000013
【図１２】
2007303226.tif 000014
【図１３】
2007303226.tif 000015
【図１４】
2007303226.tif 000016